(57)【要約】【課題】簡単な構成で好適な偏波面の切り替えを実現するループアンテナユニットを提供する。【解決手段】給電線４４、４８は、ループアンテナユニット３６による通信に係る高周波信号と、第１乃至第４スイッチＳＷ１〜ＳＷ４の切替制御を行うための直流信号Ｖci、Ｖcqとが重畳された信号を伝送するものであり、その給電線４４、４８により供給される信号からループアンテナユニット３６による通信に係る高周波信号を抽出してアンテナエレメント５２に供給するＨＰＦ６２、６４と、給電線４４、４８により供給される信号から第１乃至第４スイッチＳＷ１〜ＳＷ４の切替制御を行うための直流信号Ｖci、Ｖcqを抽出してそれら第１乃至第４スイッチＳＷ１〜ＳＷ４に供給するＬＰＦ６６、６８とを、備えたものであることから、単一の素子により偏波面の切替制御を行うことができると共に、斯かる切替制御用の制御線を用意する必要がない。【選択図】図３
2010233077.tif 000002
【特許請求の範囲】
【請求項１】
ループ状に形成されたアンテナエレメントと、該アンテナエレメントにおける第１の給電点に給電を行うための第１の給電線と、該アンテナエレメントにおける第２の給電点に給電を行うための第２の給電線と、前記第１の給電点及び第２の給電点のうち不使用とされる給電点に対応する給電線を該給電点から切り放すための回路切替部とを、備えたループアンテナユニットであって、
前記給電線は、前記ループアンテナユニットによる通信に係る高周波信号と、前記回路切替部の切替制御を行うための直流信号とが重畳された信号を伝送するものであり、
該給電線により供給される信号から前記ループアンテナユニットによる通信に係る高周波信号を抽出して前記アンテナエレメントに供給する第１のフィルタと、
前記給電線により供給される信号から前記回路切替部の切替制御を行うための直流信号を抽出して該回路切替部に供給する第２のフィルタと
を、前記第１の給電線及び第２の給電線それぞれに対応して備えたものであることを特徴とするループアンテナユニット。
【請求項２】
前記ループアンテナユニットは、該ループアンテナユニットに係る偏波面を切り替える偏波面切替制御を行う通信装置に備えられたものであり、前記回路切替部の切替制御を行うための直流信号は、該通信装置の偏波面切替制御において前記高周波信号を切り替える切替信号が共用されるものである請求項１に記載のループアンテナユニット。
【請求項３】
前記第１の給電線及び第２の給電線は、何れも内部導体及び外部導体が同軸に構成された同軸ケーブルである請求項１又は２に記載のループアンテナユニット。
【請求項４】
前記回路切替部は、前記直流信号に応じて前記第１の給電点及び第２の給電点のうち不使用とされる給電点に対応する同軸ケーブルに係る内部導体及び外部導体両方を該給電点から切り放すものである請求項３に記載のループアンテナユニット。
【請求項５】
前記回路切替部は、前記直流信号に応じて前記第１の給電点及び第２の給電点のうち不使用とされる給電点に対応する同軸ケーブルに係る内部導体を該給電点から切り放すものである請求項３に記載のループアンテナユニット。
【請求項６】
前記アンテナエレメントに不連続部位がある場合において、前記回路切替部は、前記直流信号に応じて前記第１の給電点及び第２の給電点のうち不使用とされる給電点に対応する同軸ケーブルに係る内部導体を該給電点から切り放すと共に、該給電点に係る前記アンテナエレメントの不連続部位を接続させるものである請求項３に記載のループアンテナユニット。
【請求項７】
前記アンテナエレメントに不連続部位がある場合において、前記回路切替部は、前記直流信号に応じて前記第１の給電点及び第２の給電点のうち不使用とされる給電点に対応する同軸ケーブルに係る内部導体及び外部導体両方を該給電点から切り放すと共に、該給電点に係る前記アンテナエレメントの不連続部位を接続させるものである請求項３に記載のループアンテナユニット。
【請求項８】
前記回路切替部の切替制御を行うための直流信号を前記アンテナエレメントに供給すると共に、前記アンテナエレメントによる通信に係る高周波信号の前記回路切替部への流入を遮断する第３のフィルタと、
該アンテナエレメントを介して供給される信号から前記回路切替部の切替制御を行うための直流信号を抽出して該回路切替部に供給する第４のフィルタと、
前記アンテナエレメントに供給された直流信号の、前記給電線への流入を遮断するための第５のフィルタと
を、備えたものである請求項１から７の何れか１項に記載のループアンテナユニット。
【発明の詳細な説明】
【技術分野】
【０００１】
本発明は、ループ状に形成されたアンテナエレメントを有するループアンテナユニットに関し、特に、簡単な構成で好適な偏波面の切り替えを可能とするための改良に関する。
【背景技術】
【０００２】
所定の情報が記憶された小型の無線タグ（応答器）から所定の無線タグ通信装置（質問器）により非接触にて情報の読み出しを行うＲＦＩＤ（Radio Frequency Identification）システムが知られている。このＲＦＩＤシステムは、無線タグが汚れている場合や見えない位置に配置されている場合であっても無線タグ通信装置との通信によりその無線タグに記憶された情報を読み出すことが可能であることから、商品管理や検査工程等の様々な分野において実用が期待されている。
【０００３】
ところで、通常、前記無線タグ通信装置は、前記無線タグに向けて所定の送信信号（搬送波）を送信アンテナにより送信すると共に、その送信信号を受信した無線タグから返信される返信信号（反射波）を受信アンテナ（送信アンテナと共通の態様もある）により受信することでその無線タグとの間で情報の通信を行うが、その無線タグとの相対位置関係によっては通信感度が著しく低下するという不具合があった。すなわち、前記無線タグ通信装置に備えられたアンテナの偏波面（電界成分の振動する面）が前記無線タグからの反射波の偏波面に対して垂直を成す場合には、その反射波をほとんど受信することができなかった。斯かる不具合を解消するための構成として、偏波面の切り替えを行い得るアンテナを適用することが考えられる。例えば、特許文献１に記載された偏波切替えループアンテナがそれである。
【先行技術文献】
【特許文献】
【０００４】
【特許文献１】特開２０００−７７９３４号公報
【発明の概要】
【発明が解決しようとする課題】
【０００５】
ところで、偏波面を切り替え得るループアンテナすなわちループ状に形成されると共に第１の偏波面及び第２の偏波面にそれぞれ対応する２つの給電点を有するアンテナエレメントを備えたループアンテナユニットにおいて、それら２つの給電点に選択的に給電を行って偏波面の切替を行う態様を考えると、他方の給電点すなわち不使用とされる給電点に接続された給電線の影響が無視できない。そこで、不使用とされる給電点に対応する給電線をスイッチにより切り離すことが考えられるが、前述したような従来の技術では、斯かるスイッチの切替制御を行うための制御線が必要となる。更に、通常の高周波スイッチは２本の制御線にそれぞれ高低２値の直流信号を印加し、それを反転させることにより切替制御を行うものであり、そのため少なくとも２本の制御線が必要となり、構成が複雑になるという弊害があった。このため、簡単な構成で好適な偏波面の切り替えを実現するループアンテナユニットの開発が求められていた。
【０００６】
本発明は、以上の事情を背景として為されたものであり、その目的とするところは、簡単な構成で好適な偏波面の切り替えを実現するループアンテナユニットを提供することにある。
【課題を解決するための手段】
【０００７】
斯かる目的を達成するために、本発明の要旨とするところは、ループ状に形成されたアンテナエレメントと、そのアンテナエレメントにおける第１の給電点に給電を行うための第１の給電線と、そのアンテナエレメントにおける第２の給電点に給電を行うための第２の給電線と、前記第１の給電点及び第２の給電点のうち不使用とされる給電点に対応する給電線をその給電点から切り放すための回路切替部とを、備えたループアンテナユニットであって、前記給電線は、前記ループアンテナユニットによる通信に係る高周波信号と、前記回路切替部の切替制御を行うための直流信号とが重畳された信号を伝送するものであり、その給電線により供給される信号から前記ループアンテナユニットによる通信に係る高周波信号を抽出して前記アンテナエレメントに供給する第１のフィルタと、前記給電線により供給される信号から前記回路切替部の切替制御を行うための直流信号を抽出してその回路切替部に供給する第２のフィルタとを、前記第１の給電線及び第２の給電線それぞれに対応して備えたことを特徴とするものである。
【発明の効果】
【０００８】
このようにすれば、前記給電線は、前記ループアンテナユニットによる通信に係る高周波信号と、前記回路切替部の切替制御を行うための直流信号とが重畳された信号を伝送するものであり、その給電線により供給される信号から前記ループアンテナユニットによる通信に係る高周波信号を抽出して前記アンテナエレメントに供給する第１のフィルタと、前記給電線により供給される信号から前記回路切替部の切替制御を行うための直流信号を抽出してその回路切替部に供給する第２のフィルタとを、前記第１の給電線及び第２の給電線それぞれに対応して備えたものであることから、単一の素子により偏波面の切替制御を行うことができると共に、斯かる切替制御用の制御線を用意する必要がない。すなわち、簡単な構成で好適な偏波面の切り替えを実現するループアンテナユニットを提供することができる。
【０００９】
ここで、請求項２に記載のループアンテナユニットは、そのループアンテナユニットに係る偏波面を切り替える偏波面切替制御を行う通信装置に備えられたものであり、前記回路切替部の切替制御を行うための直流信号は、その通信装置の偏波面切替制御において前記高周波信号を切り替える切替信号が共用されるものである。このようにすれば、所定の通信装置に備えられてその通信装置により偏波面が切り替えられるループアンテナユニットにおいて、可及的に簡単な制御によりその偏波面の切替制御を実現することができる。
【００１０】
また、請求項３に記載のループアンテナユニットにおいて、前記第１の給電線及び第２の給電線は、何れも内部導体及び外部導体が同軸に構成された同軸ケーブルである。このようにすれば、実用的な給電線を備えたループアンテナユニットにおいて、簡単な構成で好適な偏波面の切り替えを実現することができる。
【００１１】
また、請求項４に記載のループアンテナユニットにおいて、前記回路切替部は、前記直流信号に応じて前記第１の給電点及び第２の給電点のうち不使用とされる給電点に対応する同軸ケーブルに係る内部導体及び外部導体両方をその給電点から切り放すものである。このようにすれば、実用的な態様で好適な偏波面の切り替えを実現することができる。
【００１２】
また、請求項５に記載のループアンテナユニットにおいて、前記回路切替部は、前記直流信号に応じて前記第１の給電点及び第２の給電点のうち不使用とされる給電点に対応する同軸ケーブルに係る内部導体をその給電点から切り放すものである。このようにすれば、可及的に簡単な構成で好適な偏波面の切り替えを実現することができる。
【００１３】
また、請求項６に記載のループアンテナユニットは、前記アンテナエレメントに不連続部位がある場合において、前記回路切替部は、前記直流信号に応じて前記第１の給電点及び第２の給電点のうち不使用とされる給電点に対応する同軸ケーブルに係る内部導体をその給電点から切り放すと共に、その給電点に係る前記アンテナエレメントの不連続部位を接続させるものである。このようにすれば、簡単な構成で好適な偏波面の切り替えを実現することができると共に、前記アンテナエレメントによる通信を更に好適化できる。
【００１４】
また、請求項７に記載のループアンテナユニットは、前記アンテナエレメントに不連続部位がある場合において、前記回路切替部は、前記直流信号に応じて前記第１の給電点及び第２の給電点のうち不使用とされる給電点に対応する同軸ケーブルに係る内部導体及び外部導体両方をその給電点から切り放すと共に、その給電点に係る前記アンテナエレメントの不連続部位を接続させるものである。このようにすれば、実用的な態様で好適な偏波面の切り替えを実現することができると共に、前記アンテナエレメントによる通信を更に好適化できる。
【００１５】
また、請求項８に記載のループアンテナユニットは、前記回路切替部の切替制御を行うための直流信号を前記アンテナエレメントに供給すると共に、前記アンテナエレメントによる通信に係る高周波信号の前記回路切替部への流入を遮断する第３のフィルタと、そのアンテナエレメントを介して供給される信号から前記回路切替部の切替制御を行うための直流信号を抽出して該回路切替部に供給する第４のフィルタと、前記アンテナエレメントに供給された直流信号の、前記給電線への流入を遮断するための第５のフィルタとを、備えたものである。このようにすれば、２つ以上の回路切替部を備えた構成において、それら回路切替部相互間に制御線を設ける必要がなく、装置の構成を可及的に簡単なものとすることができる。
【図面の簡単な説明】
【００１６】
【図１】本発明が好適に適用される無線タグ通信システムを説明する図である。
【図２】図１の無線タグ通信システムにおける無線タグに備えられた無線タグ回路素子の構成を説明する図である。
【図３】本発明の一実施例であるループアンテナユニットが適用された無線タグ通信装置の構成を例示する図である。
【図４】図３のループアンテナユニットにおける第１乃至第４スイッチの切替制御の真理値表を例示する図である。
【図５】図３のループアンテナユニットにおける直流信号に応じての偏波面切替制御を説明する図である。
【図６】本発明の他の実施例であるループアンテナユニットが無線タグ通信装置に適用された構成を例示する図である。
【図７】図６のループアンテナユニットにおける直流信号に応じての偏波面切替制御を説明する図である。
【図８】本発明の更に別の実施例であるループアンテナユニットが無線タグ通信装置に適用された構成を例示する図である。
【図９】本発明の更に別の実施例であるループアンテナユニットが無線タグ通信装置に適用された構成を例示する図である。
【図１０】図３のループアンテナユニットの変形例であり、アンテナエレメントに直流信号を重畳させて給電点相互間の制御線を省いた構成である。
【図１１】図６のループアンテナユニットの変形例であり、アンテナエレメントに直流信号を重畳させて給電点相互間の制御線を省いた構成である。
【図１２】図８のループアンテナユニットの変形例であり、アンテナエレメントに直流信号を重畳させて給電点相互間の制御線を省いた構成である。
【図１３】図９のループアンテナユニットの変形例であり、アンテナエレメントに直流信号を重畳させて給電点相互間の制御線を省いた構成である。
【発明を実施するための最良の形態】
【００１７】
以下、本発明の好適な実施例を図面に基づいて詳細に説明する。
【実施例】
【００１８】
図１は、本発明が好適に適用される無線タグ通信システム１０を説明する図である。この無線タグ通信システム１０は、本発明の一実施例であるループアンテナユニット３６を備えた無線タグ通信装置１２と、その無線タグ通信装置１２の通信対象である単数乃至は複数（図１では単数）の無線タグ１４とから構成される所謂ＲＦＩＤ（Radio Frequency Identification）システムであり、上記無線タグ通信装置１２はそのＲＦＩＤシステムの質問器として、上記無線タグ１４は応答器としてそれぞれ機能する。すなわち、上記無線タグ通信装置１２から質問波Ｆc（送信信号）が上記無線タグ１４に向けて送信されると、その質問波Ｆcを受信した上記無線タグ１４において所定の情報信号（データ）によりその質問波Ｆcが変調され、応答波Ｆr（返信信号）として上記無線タグ通信装置１２に向けて返信されることで、その無線タグ通信装置１２と無線タグ１４との間で情報の通信が行われる。この無線タグ通信システム１０は、例えば、所定の通信領域内における物品の管理等に用いられるものであり、上記無線タグ１４は、好適には、管理対象である物品に貼られる等してその物品と一体的に設けられている。
【００１９】
図２は、前記無線タグ１４に備えられた無線タグ回路素子１６の構成を説明する図である。この図２に示すように、斯かる無線タグ回路素子１６は、前記無線タグ通信装置１２との間で信号の送受信を行うためのアンテナ部１８と、そのアンテナ部１８に接続されて前記無線タグ通信装置１２との間の情報通信処理を行うためのＩＣ回路部２０とを、備えて構成されている。そのＩＣ回路部２０は、上記アンテナ部１８により受信された前記無線タグ通信装置１２からの質問波Ｆcを整流する整流部２２と、その整流部２２により整流された質問波Ｆcのエネルギを蓄積するための電源部２４と、上記アンテナ部１８により受信された搬送波からクロック信号を抽出して制御部３２に供給するクロック抽出部２６と、所定の情報信号を記憶し得る情報記憶部として機能するメモリ部２８と、上記アンテナ部１８に接続されて信号の変調及び復調を行う変復調部３０と、上記整流部２２、クロック抽出部２６、及び変復調部３０等を介して上記無線タグ回路素子１６の作動を制御するための制御部３２とを、機能的に含んでいる。上記制御部３２は、前記無線タグ通信装置１２と通信を行うことにより上記メモリ部２８に上記所定の情報を記憶する制御や、上記アンテナ部１８により受信された質問波Ｆcを上記変復調部３０において上記メモリ部２８に記憶された情報信号に基づいて変調したうえで応答波Ｆrとして上記アンテナ部１８から反射返信する制御等の基本的な制御を実行する。
【００２０】
図３は、前記無線タグ通信装置１２の構成を例示する図である。この図３に示すように、本実施例の無線タグ通信装置１２は、前記無線タグ１４に対する情報の読み出し及び書き込みの少なくとも一方を実行するためにその無線タグ１４との間で情報の通信を行うものであり、その通信に係る送信信号（高周波信号）を出力したり、その送信信号に応じて前記無線タグ１４から返信される返信信号を復調する等の処理を実行する本体３４と、その本体３４に接続されて上記通信に係る送受信アンテナとして機能する本発明の一実施例であるループアンテナユニット３６とを、備えて構成されている。
【００２１】
上記本体３４は、前記無線タグ通信装置１２による前記無線タグ１４との間の通信制御をはじめとする各種制御を実行する制御部３８と、その制御部３８からの指令に応じて前記送信信号を出力したり、前記無線タグ１４からの返信信号を復調する等の信号処理を実行するＲＦＩＤチップセット４０と、そのＲＦＩＤチップセット４０から出力される送信信号を第０スイッチＳＷ０を介して第１ポート４６又は第２ポート５０に供給すると共に、それら第１ポート４６又は第２ポート５０から上記第０スイッチＳＷ０を介して入力される受信信号を上記ＲＦＩＤチップセット４０へ供給する送受信分離部４２と、第１給電線４４に対応する入出力ポートである第１ポート（Port I）４６と、第２給電線４８に対応する入力ポートである第２ポート（Port Q）５０と、上記送受信分離部４２と第１ポート４６乃至第２ポート５０との間の接続を切り替える第０スイッチＳＷ０とを、備えて構成されている。なお、上記送受信分離部４２としては、よく知られた方向性結合器やサーキュレータ等が好適に用いられる。
【００２２】
上記制御部３８は、中央演算処理装置であるＣＰＵ、読出専用メモリであるＲＯＭ、及び随時書込読出メモリであるＲＡＭ等から成り、ＲＡＭの一時記憶機能を利用しつつＲＯＭに予め記憶されたプログラムに従って信号処理を行う所謂マイクロコンピュータである。すなわち、前記ＲＦＩＤチップセット４０を介して前記無線タグ１４へ向けて所定の送信信号を送信すると共に、その送信信号に応じてその無線タグ１４から返信される返信信号を復調乃至復号する等、前記無線タグ通信装置１２による前記無線タグ１４との間の通信制御を行う。また、上記第０スイッチＳＷ０を切り替えるための直流信号Ｖci及びＶcqを出力させる。この直流信号Ｖci及びＶcqは、後述するように、前記ループアンテナユニット３６に備えられた回路切替部としての第１乃至第４スイッチＳＷ１〜ＳＷ４の切り替えにも用いられる。
【００２３】
前記ループアンテナユニット３６は、第１の偏波面（水平偏波面）に対応する第１給電点５４及び第２の偏波面（垂直偏波面）に対応する第２給電点５６を互いに１／４波長（通信に係る波長の１／４）ずれた位置に備えてループ状に形成された、通信に係る１波長分の長さ寸法を有する矩形状（正方形状）のアンテナエレメント５２と、そのアンテナエレメント５２における第１給電点５４に給電を行うための第１給電線４４と、そのアンテナエレメント５２における第２給電点５６に給電を行うための第２給電線４８と、上記第１給電点５４及び第２給電点５６のうち不使用とされる給電点に対応する給電線４４又は４８をその給電点から切り放すための回路切替部としての第１乃至第４スイッチＳＷ１〜ＳＷ４とを、備えたものであり、上記第１給電線４４及び第２給電線４８の何れか一方が上記アンテナエレメント５２における第１給電点５４乃至第２給電点５６に接続されることで、そのアンテナエレメント５２が１波長ループアンテナとして機能させられる。すなわち、前記ループアンテナユニット３６は、水平偏波アンテナ乃至垂直偏波アンテナとして選択的に機能させられる偏波面切替型のアンテナユニット（偏波面ダイバーシチアンテナ）である。
【００２４】
前記第１給電線４４及び第２給電線４８は、好適には、何れも内部導体及び外部導体が同軸に構成された同軸ケーブルである。また、前記第１給電線４４は、前記本体３４の第１ポート４６と前記アンテナエレメント５２の第１給電点５４との間を接続するものであり、前記ループアンテナユニット３６を水平偏波アンテナとして機能させるための水平偏波ケーブル（Cable I）に対応する。また、前記第２給電線４８は、前記本体３４の第２ポート５０と前記アンテナエレメント５２の第２給電点５６との間を接続するものであり、前記ループアンテナユニット３６を垂直偏波アンテナとして機能させるための垂直偏波ケーブル（Cable Q）に対応する。
【００２５】
前記第１スイッチＳＷ１は、前記第２給電線４８の内部導体と前記アンテナエレメント５２の第２給電点５６との間の接続と遮断とを切り換える。すなわち、端子Ｐ１に接続された状態において前記第２給電線４８の内部導体と前記アンテナエレメント５２の第２給電点５６との間を接続する一方、端子Ｐ２に接続された状態においてそれらの間を遮断する。また、前記第２スイッチＳＷ２は、前記第２給電線４８の外部導体と前記アンテナエレメント５２の第２給電点５６との間の接続乃至遮断を切り換える。すなわち、端子Ｐ１に接続された状態において前記第２給電線４８の外部導体と前記アンテナエレメント５２の第２給電点５６との間を接続する一方、端子Ｐ２に接続された状態においてそれらの間を遮断する。また、前記第３スイッチＳＷ３は、前記第１給電線４４の外部導体と前記アンテナエレメント５２の第１給電点５４との間の接続乃至遮断を切り換える。すなわち、端子Ｐ１に接続された状態において前記第１給電線４４の外部導体と前記アンテナエレメント５２の第１給電点５４との間を接続する一方、端子Ｐ２に接続された状態においてそれらの間を遮断する。また、前記第４スイッチＳＷ４は、前記第１給電線４４の内部導体と前記アンテナエレメント５２の第１給電点５４との間の接続乃至遮断を切り換える。すなわち、端子Ｐ１に接続された状態において前記第１給電線４４の内部導体と前記アンテナエレメント５２の第１給電点５４との間を接続する一方、端子Ｐ２に接続された状態においてそれらの間を遮断する。
【００２６】
ここで、前記本体３４において、前記第０スイッチＳＷ０は、前記送受信分離部４２と前記第１ポート４６及び第２ポート５０との間の接続を切り換える。すなわち、端子Ｐ１に接続された状態において前記送受信分離部４２と第２ポート５０との間を接続する一方、端子Ｐ２に接続された状態において前記送受信分離部４２と第１ポート４６との間を接続する。斯かる回路の切替により、前記ＲＦＩＤチップセット４０から前記送受信分離部４２を介して出力された高周波信号は、前記第０スイッチＳＷ０を介して前記第１給電線４４及び第２給電線４８の何れか一方に選択的に供給される一方、それら第１給電線４４及び第２給電線４８の何れか一方から供給される受信信号は、前記第０スイッチＳＷ０を介して前記送受信分離部４２延いては前記ＲＦＩＤチップセット４０へ供給される。この第０スイッチＳＷ０の切替は、前記制御部３８から供給される直流信号（切替信号）Ｖci、Ｖcqに応じて実行される。すなわち、それら直流信号Ｖci、Ｖcqのうち水平偏波に対応する直流信号Ｖciの電圧が垂直偏波に対応する直流信号Ｖcqの電圧よりも高い場合には、前記第０スイッチが端子Ｐ２に接続されて前記送受信分離部４２と第１ポート４６との間が接続される一方、垂直偏波に対応する直流信号Ｖcqの電圧が水平偏波に対応する直流信号Ｖciの電圧よりも高い場合には、前記第０スイッチが端子Ｐ１に接続されて前記送受信分離部４２と第２ポート５０との間が接続される。
【００２７】
また、本実施例のループアンテナユニット３６では、前記無線タグ通信装置１２において前記送受信分離部４２と前記第１ポート４６乃至第２ポート５０との間の接続を切り替えるための切替信号Ｖci、Ｖcqが、前記第１乃至第４スイッチＳＷ１〜ＳＷ４の切替制御に共用される。このために、前記第１給電線４４及び第２給電線４８は、前記ループアンテナユニット３６による通信に係る高周波信号すなわち前記ＲＦＩＤチップセット４０から前記送受信分離部４２を介して出力される信号と、前記制御部３８から出力されてＬＰＦ（Low Pass Filter）５８、６０を介して前記第１ポート４６乃至第２ポート５０に入力される直流信号Ｖci、Ｖcqとが重畳された信号を伝送するものである。また、前記ループアンテナユニット３６は、前記給電線４４、４８により供給される信号から前記ループアンテナユニット３６による通信に係る高周波信号を抽出して前記アンテナエレメント５２に供給する第１のフィルタとしてのＨＰＦ（High Pass Filter）６２、６４と、前記給電線４４、４８により供給される信号から前記第１乃至第４スイッチＳＷ１〜ＳＷ４の切替制御を行うための直流信号Ｖci、Ｖcqを抽出してそれら第１乃至第４スイッチＳＷ１〜ＳＷ４に供給する第２のフィルタとしてのＬＰＦ６６、６８とを、前記第１給電線４４及び第２給電線４８それぞれに対応して備えたものである。なお、上記ＨＰＦ６２、６４は、スイッチデバイスの動作に必要な結合コンデンサと共有されるものであってもよく、この場合、別途ＨＰＦを設ける必要はない。
【００２８】
以上のように構成されたループアンテナユニット３６においては、前記本体３４の制御部３８から前記給電線４４、４８を介して供給される直流信号Ｖci、Ｖcqに応じて前記第１乃至第４スイッチＳＷ１〜ＳＷ４の切替が行われる。図４は、斯かる第１乃至第４スイッチＳＷ１〜ＳＷ４の切替制御の真理値表を例示する図である。また、図５は、前記ループアンテナユニット３６における前記直流信号Ｖci、Ｖcqに応じての偏波面切替制御を説明する図である。これら図４及び図５に示すように、前記直流信号Ｖci、Ｖcqのうち水平偏波に対応する直流信号Ｖciの電圧が垂直偏波に対応する直流信号Ｖcqの電圧よりも高い場合には、前記第１スイッチＳＷ１及び第２スイッチＳＷ２が端子Ｐ２に接続されると共に、前記第３スイッチＳＷ３及び第４スイッチＳＷ４が端子Ｐ１に接続される。また、前述のように斯かる状態においては、前記本体３４における第０スイッチＳＷ０が端子Ｐ２に接続されて前記送受信分離部４２と第１ポート４６との間が接続され、その送受信分離部４２から出力される高周波信号が前記第１給電線４４に供給される状態とされる。この状態においては、前記第１給電線４４に係る内部導体及び外部導体が前記第１給電点５４に接続され、その第１給電点５４と前記送受信分離部４２とが電気的に接続されることで前記アンテナエレメント５２が水平偏波アンテナとして機能させられる一方、不使用とされる第２給電点５６に対応する第２給電線４８に係る内部導体及び外部導体両方がその第２給電点５６から切り放される。
【００２９】
また、図４及び図５に示すように、前記直流信号Ｖci、Ｖcqのうち垂直偏波に対応する直流信号Ｖcqの電圧が水平偏波に対応する直流信号Ｖciの電圧よりも高い場合には、前記第１スイッチＳＷ１及び第２スイッチＳＷ２が端子Ｐ１に接続されると共に、前記第３スイッチＳＷ３及び第４スイッチＳＷ４が端子Ｐ２に接続される。また、前述のように斯かる状態においては、前記本体３４における第０スイッチＳＷ０が端子Ｐ１に接続されて前記送受信分離部４２と第２ポート５０との間が接続され、その送受信分離部４２から出力される高周波信号が前記第２給電線４８に供給される状態とされる。この状態においては、前記第２給電線４８に係る内部導体及び外部導体が前記第２給電点５６に接続され、その第２給電点５６と前記送受信分離部４２とが電気的に接続されることで前記アンテナエレメント５２が垂直偏波アンテナとして機能させられる一方、不使用とされる第１給電点５４に対応する第１給電線４４に係る内部導体及び外部導体両方がその第１給電点５４から切り放される。
【００３０】
このように、本実施例によれば、前記給電線４４、４８は、前記ループアンテナユニット３６による通信に係る高周波信号と、回路切替部である前記第１乃至第４スイッチＳＷ１〜ＳＷ４の切替制御を行うための直流信号Ｖci、Ｖcqとが重畳された信号を伝送するものであり、その給電線４４、４８により供給される信号から前記ループアンテナユニット３６による通信に係る高周波信号を抽出して前記アンテナエレメント５２に供給する第１のフィルタであるＨＰＦ６２、６４と、前記給電線４４、４８により供給される信号から前記第１乃至第４スイッチＳＷ１〜ＳＷ４の切替制御を行うための直流信号Ｖci、Ｖcqを抽出してそれら第１乃至第４スイッチＳＷ１〜ＳＷ４に供給する第２のフィルタであるＬＰＦ６６、６８とを、前記第１給電線４４及び第２給電線４８それぞれに対応して備えたものであることから、単一の素子により偏波面の切替制御を行うことができると共に、斯かる切替制御用の制御線を用意する必要がない。すなわち、簡単な構成で好適な偏波面の切り替えを実現するループアンテナユニット３６を提供することができる。
【００３１】
また、前記ループアンテナユニット３６は、そのループアンテナユニット３６に係る偏波面を切り替える偏波面切替制御を行う無線タグ通信装置１２に備えられたものであり、前記第１乃至第４スイッチＳＷ１〜ＳＷ４の切替制御を行うための直流信号Ｖci、Ｖcqは、その無線タグ通信装置１２の偏波面切替制御において前記高周波信号を切り替える切替信号が共用されるものであるため、所定の無線タグ通信装置１２に備えられてその無線タグ通信装置１２により偏波面が切り替えられるループアンテナユニット３６において、可及的に簡単な制御によりその偏波面の切替制御を実現することができる。
【００３２】
また、前記第１給電線４４及び第２給電線４８は、何れも内部導体及び外部導体が同軸に構成された同軸ケーブルであるため、実用的な給電線４４、４８を備えたループアンテナユニット３６において、簡単な構成で好適な偏波面の切り替えを実現することができる。
【００３３】
また、前記第１乃至第４スイッチＳＷ１〜ＳＷ４は、前記直流信号Ｖci、Ｖcqに応じて前記第１給電点５４及び第給電点５６のうち不使用とされる給電点に対応する同軸ケーブルに係る内部導体及び外部導体両方をその給電点から切り放すものであるため、実用的な態様で好適な偏波面の切り替えを実現することができる。
【００３４】
続いて、本発明の他の好適な実施例を図面に基づいて詳細に説明する。なお、以下の説明において、実施例相互に共通する部分については、同一の符号を付してその説明を省略する。
【００３５】
図６は、本発明の他の好適な実施例であるループアンテナユニット７０が前記無線タグ通信装置１２に適用された構成を例示する図である。この図６に示すように、本実施例のループアンテナユニット７０に備えられた第１スイッチＳＷ１は、前記第２給電線４８の内部導体と前記アンテナエレメント５２の第２給電点５６との間の接続乃至遮断を切り換える。すなわち、端子Ｐ１に接続された状態において前記第２給電線４８の内部導体と前記アンテナエレメント５２の第２給電点５６との間を接続する一方、端子Ｐ２に接続された状態においてそれらの間を遮断する。また、前記第２給電線４８の外部導体は、常に前記第２給電点５６に接続されている。また、第２スイッチＳＷ２は、前記第１給電線４４の内部導体と前記アンテナエレメント５２の第１給電点５４との間の接続乃至遮断を切り換える。すなわち、端子Ｐ１に接続された状態において前記第１給電線４４の内部導体と前記アンテナエレメント５２の第１給電点５４との間を接続する一方、端子Ｐ２に接続された状態においてそれらの間を遮断する。また、前記第１給電線４４の外部導体は、常に前記第１給電点５４に接続されている。
【００３６】
以上のように構成されたループアンテナユニット７０においては、前記本体３４の制御部３８から前記給電線４４、４８を介して供給される直流信号Ｖci、Ｖcqに応じて前記第１スイッチＳＷ１及び第２スイッチＳＷ２の切替が行われる。前述の実施例と同様に、斯かる第１スイッチＳＷ１及び第２スイッチＳＷ２の切替制御の真理値表を図４に示す。また、図７は、前記ループアンテナユニット７０における前記直流信号Ｖci、Ｖcqに応じての偏波面切替制御を説明する図である。これら図４及び図７に示すように、前記直流信号Ｖci、Ｖcqのうち水平偏波に対応する直流信号Ｖciの電圧が垂直偏波に対応する直流信号Ｖcqの電圧よりも高い場合には、前記第１スイッチＳＷ１が端子Ｐ２に接続されると共に、前記第２スイッチＳＷ２が端子Ｐ１に接続される。また、前述のように斯かる状態においては、前記本体３４における第０スイッチＳＷ０が端子Ｐ２に接続されて前記送受信分離部４２と第１ポート４６との間が接続され、その送受信分離部４２から出力される高周波信号が前記第１給電線４４に供給される状態とされる。この状態においては、前記第１給電線４４に係る内部導体が前記第１給電点５４に接続され（外部導体は常に接続）、その第１給電点５４と前記送受信分離部４２とが電気的に接続されることで前記アンテナエレメント５２が水平偏波アンテナとして機能させられる一方、不使用とされる第２給電点５６に対応する第２給電線４８に係る内部導体がその第２給電点５６から切り放される。
【００３７】
また、図４及び図７に示すように、前記直流信号Ｖci、Ｖcqのうち垂直偏波に対応する直流信号Ｖcqの電圧が水平偏波に対応する直流信号Ｖciの電圧よりも高い場合には、前記第１スイッチＳＷ１が端子Ｐ１に接続されると共に、前記第２スイッチＳＷ２が端子Ｐ２に接続される。また、前述のように斯かる状態においては、前記本体３４における第０スイッチＳＷ０が端子Ｐ１に接続されて前記送受信分離部４２と第２ポート５０との間が接続され、その送受信分離部４２から出力される高周波信号が前記第２給電線４８に供給される状態とされる。この状態においては、前記第２給電線４８に係る内部導体が前記第２給電点５６に接続され（外部導体は常に接続）、その第２給電点５６と前記送受信分離部４２とが電気的に接続されることで前記アンテナエレメント５２が垂直偏波アンテナとして機能させられる一方、不使用とされる第１給電点５４に対応する第１給電線４４に係る内部導体がその第１給電点５４から切り放される。
【００３８】
このように、本実施例によれば、回路切替部である前記第１スイッチＳＷ１及び第２スイッチＳＷ２は、前記直流信号Ｖci、Ｖcqに応じて前記第１給電点５４及び第２給電点５６のうち不使用とされる給電点に対応する同軸ケーブルに係る内部導体をその給電点から切り放すものであるため、可及的に簡単な構成で好適な偏波面の切り替えを実現することができる。
【００３９】
図８は、本発明の更に別の好適な実施例であるループアンテナユニット７２が前記無線タグ通信装置１２に適用された構成を例示する図である。この図８に示すように、前述の実施例では特に言及していないが、前記アンテナエレメント５２は、前記第１給電点５４及び第２給電点５６に係る部位が電気的に切断された不連続部位となっている。ここで、本実施例ループアンテナユニット７２に備えられた第１スイッチＳＷ１は、前記第２給電線４８の内部導体と前記アンテナエレメント５２の第２給電点５６との間の接続乃至遮断を切り換えると共に、その遮断位置においてその第２給電点５６に係る前記アンテナエレメントの不連続部位を接続（連結）させる。すなわち、端子Ｐ１に接続された状態において前記第２給電線４８の内部導体と前記アンテナエレメント５２の第２給電点５６との間を接続する一方、端子Ｐ２に接続された状態においてそれらの間を遮断すると共に不連続部位としての前記第２給電点５６を電気的に連結させる。また、前記第２給電線４８の外部導体は、常に前記第２給電点５６に接続されている。また、第２スイッチＳＷ２は、前記第１給電線４４の内部導体と前記アンテナエレメント５２の第１給電点５４との間の接続乃至遮断を切り換えると共に、その遮断位置においてその第１給電点５４に係る前記アンテナエレメントの不連続部位を接続（連結）させる。すなわち、端子Ｐ１に接続された状態において前記第１給電線４４の内部導体と前記アンテナエレメント５２の第１給電点５４との間を接続する一方、端子Ｐ２に接続された状態においてそれらの間を遮断すると共に不連続部位としての前記第１給電点５４を電気的に連結させる。また、前記第１給電線４４の外部導体は、常に前記第１給電点５４に接続されている。
【００４０】
以上のように構成されたループアンテナユニット７２においては、前記本体３４の制御部３８から前記給電線４４、４８を介して供給される直流信号Ｖci、Ｖcqに応じて前記第１スイッチＳＷ１及び第２スイッチＳＷ２の切替が行われる。前述の実施例と同様に、斯かる第１スイッチＳＷ１及び第２スイッチＳＷ２の切替制御の真理値表を図４に示す。また、前述の実施例と同様に、前記ループアンテナユニット７２における前記直流信号Ｖci、Ｖcqに応じての偏波面切替制御を図７に示す。これら図４及び図７に示すように、前記直流信号Ｖci、Ｖcqのうち水平偏波に対応する直流信号Ｖciの電圧が垂直偏波に対応する直流信号Ｖcqの電圧よりも高い場合には、前記第１スイッチＳＷ１が端子Ｐ２に接続されると共に、前記第２スイッチＳＷ２が端子Ｐ１に接続される。また、前述のように斯かる状態においては、前記本体３４における第０スイッチＳＷ０が端子Ｐ２に接続されて前記送受信分離部４２と第１ポート４６との間が接続され、その送受信分離部４２から出力される高周波信号が前記第１給電線４４に供給される状態とされる。この状態においては、前記第１給電線４４に係る内部導体が前記第１給電点５４に接続され（外部導体は常に接続）、その第１給電点５４と前記送受信分離部４２とが電気的に接続されることで前記アンテナエレメント５２が水平偏波アンテナとして機能させられる一方、不使用とされる第２給電点５６に対応する第２給電線４８に係る内部導体がその第２給電点５６から切り放されると共に、不連続部位としてのその第２給電点５６が前記第１スイッチＳＷ１によって電気的に接続（連結）される。
【００４１】
また、図４及び図７に示すように、前記直流信号Ｖci、Ｖcqのうち垂直偏波に対応する直流信号Ｖcqの電圧が水平偏波に対応する直流信号Ｖciの電圧よりも高い場合には、前記第１スイッチＳＷ１が端子Ｐ１に接続されると共に、前記第２スイッチＳＷ２が端子Ｐ２に接続される。また、前述のように斯かる状態においては、前記本体３４における第０スイッチＳＷ０が端子Ｐ１に接続されて前記送受信分離部４２と第２ポート５０との間が接続され、その送受信分離部４２から出力される高周波信号が前記第２給電線４８に供給される状態とされる。この状態においては、前記第２給電線４８に係る内部導体が前記第２給電点５６に接続され（外部導体は常に接続）、その第２給電点５６と前記送受信分離部４２とが電気的に接続されることで前記アンテナエレメント５２が垂直偏波アンテナとして機能させられる一方、不使用とされる第１給電点５４に対応する第１給電線４４に係る内部導体がその第１給電点５４から切り放されると共に、その不連続部位としての第１給電点５４が前記第２スイッチＳＷ２によって電気的に接続（連結）される。
【００４２】
このように、本実施例によれば、前記アンテナエレメント５２に不連続部位がある場合において、回路切替部である前記第１スイッチＳＷ１及び第２スイッチＳＷ２は、前記直流信号Ｖci、Ｖcqに応じて前記第１給電点５４及び第の給電点５６のうち不使用とされる給電点に対応する同軸ケーブルに係る内部導体をその給電点から切り放すと共に、その給電点に係る前記アンテナエレメント５２の不連続部位を接続させるものであるため、簡単な構成で好適な偏波面の切り替えを実現することができると共に、前記アンテナエレメント５２による通信を更に好適化できる。
【００４３】
図９は、本発明の更に別の好適な実施例であるループアンテナユニット７４が前記無線タグ通信装置１２に適用された構成を例示する図である。この図９に示すように、前記アンテナエレメント５２は、前記第１給電点５４及び第２給電点５６に係る部位が電気的に切断された不連続部位となっている。ここで、本実施例ループアンテナユニット７４に備えられた第１スイッチＳＷ１は、前記第２給電線４８の内部導体と前記アンテナエレメント５２の第２給電点５６との間の接続乃至遮断を切り換えると共に、その遮断位置においてその第２給電点５６に係る前記アンテナエレメントの不連続部位を接続（連結）させる。すなわち、端子Ｐ１に接続された状態において前記第２給電線４８の内部導体と前記アンテナエレメント５２の第２給電点５６との間を接続する一方、端子Ｐ２に接続された状態においてそれらの間を遮断すると共に不連続部位としての前記第２給電点５６を電気的に連結させる。また、第２スイッチＳＷ２は、前記第２給電線４８の外部導体と前記アンテナエレメント５２の第２給電点５６との間の接続乃至遮断を切り換える。すなわち、端子Ｐ１に接続された状態において前記第２給電線４８の外部導体と前記アンテナエレメント５２の第２給電点５６との間を接続する一方、端子Ｐ２に接続された状態においてそれらの間を遮断する。また、第３スイッチＳＷ３は、前記第１給電線４４の内部導体と前記アンテナエレメント５２の第１給電点５４との間の接続乃至遮断を切り換えると共に、その遮断位置においてその第１給電点５４に係る前記アンテナエレメントの不連続部位を接続（連結）させる。すなわち、端子Ｐ１に接続された状態において前記第１給電線４４の内部導体と前記アンテナエレメント５２の第１給電点５４との間を接続する一方、端子Ｐ２に接続された状態においてそれらの間を遮断すると共に不連続部位としての前記第１給電点５４を電気的に連結させる。また、第４スイッチＳＷ４は、前記第１給電線４４の外部導体と前記アンテナエレメント５２の第１給電点５４との間の接続乃至遮断を切り換える。すなわち、端子Ｐ１に接続された状態において前記第１給電線４４の外部導体と前記アンテナエレメント５２の第１給電点５４との間を接続する一方、端子Ｐ２に接続された状態においてそれらの間を遮断する。
【００４４】
以上のように構成されたループアンテナユニット７４においては、前記本体３４の制御部３８から前記給電線４４、４８を介して供給される直流信号Ｖci、Ｖcqに応じて前記第１乃至第４スイッチＳＷ１〜ＳＷ４の切替が行われる。前述の実施例と同様に、斯かる第１乃至第４スイッチＳＷ１〜ＳＷ４の切替制御の真理値表を図４に示す。また、前述の実施例と同様に、前記ループアンテナユニット７４における前記直流信号Ｖci、Ｖcqに応じての偏波面切替制御を図５に示す。これら図４及び図５に示すように、前記直流信号Ｖci、Ｖcqのうち水平偏波に対応する直流信号Ｖciの電圧が垂直偏波に対応する直流信号Ｖcqの電圧よりも高い場合には、前記第１スイッチＳＷ１及び第２スイッチＳＷ２が端子Ｐ２に接続されると共に、前記第３スイッチＳＷ３及び第４スイッチＳＷ４が端子Ｐ１に接続される。また、前述のように斯かる状態においては、前記本体３４における第０スイッチＳＷ０が端子Ｐ２に接続されて前記送受信分離部４２と第１ポート４６との間が接続され、その送受信分離部４２から出力される高周波信号が前記第１給電線４４に供給される状態とされる。この状態においては、前記第１給電線４４に係る内部導体及び外部導体両方が前記第１給電点５４に接続され、その第１給電点５４と前記送受信分離部４２とが電気的に接続されることで前記アンテナエレメント５２が水平偏波アンテナとして機能させられる一方、不使用とされる第２給電点５６に対応する第２給電線４８に係る内部導体及び外部導体両方がその第２給電点５６から切り放されると共に、不連続部位としてのその第２給電点５６が前記第３スイッチＳＷ３によって電気的に接続（連結）される。
【００４５】
また、図４及び図５に示すように、前記直流信号Ｖci、Ｖcqのうち垂直偏波に対応する直流信号Ｖcqの電圧が水平偏波に対応する直流信号Ｖciの電圧よりも高い場合には、前記第１スイッチＳＷ１及び第２スイッチＳＷ２が端子Ｐ１に接続されると共に、前記第３スイッチＳＷ３及び第４スイッチＳＷ４が端子Ｐ２に接続される。また、前述のように斯かる状態においては、前記本体３４における第０スイッチＳＷ０が端子Ｐ１に接続されて前記送受信分離部４２と第２ポート５０との間が接続され、その送受信分離部４２から出力される高周波信号が前記第２給電線４８に供給される状態とされる。この状態においては、前記第２給電線４８に係る内部導体及び外部導体両方が前記第２給電点５６に接続され、その第２給電点５６と前記送受信分離部４２とが電気的に接続されることで前記アンテナエレメント５２が垂直偏波アンテナとして機能させられる一方、不使用とされる第１給電点５４に対応する第１給電線４４に係る内部導体及び外部導体両方がその第１給電点５４から切り放されると共に、その不連続部位としての第１給電点５４が前記第３スイッチＳＷ３によって電気的に接続（連結）される。
【００４６】
このように、本実施例によれば、前記アンテナエレメント５２に不連続部位がある場合において、回路切替部である前記第１乃至第４スイッチＳＷ１〜ＳＷ４は、前記直流信号Ｖci、Ｖcqに応じて前記第１給電点５４及び第の給電点５６のうち不使用とされる給電点に対応する同軸ケーブルに係る内部導体及び外部導体両方をその給電点から切り放すと共に、その給電点に係る前記アンテナエレメント５２の不連続部位を接続させるものであるため、実用的な態様で好適な偏波面の切り替えを実現することができると共に、前記アンテナエレメント５２による通信を更に好適化できる。
【００４７】
図１０は、本発明の更に別の好適な実施例であるループアンテナユニット３６′が前記無線タグ通信装置１２に適用された構成を例示する図である。この図１０に示すループアンテナユニット３６′は、図３を用いて前述したループアンテナユニット３６の変形例であり、前記アンテナエレメント５２に直流信号を重畳させて給電点相互間の制御線を省いた構成である。すなわち、図１０に示すループアンテナユニット３６′は、前記第１給電線４４により供給される信号から前記第３スイッチＳＷ３及び第４スイッチＳＷ４の制御端子への高周波信号の流入を遮断する第３のフィルタとしてのＬＰＦ８０と、前記アンテナエレメント５２を介して供給される信号から前記直流信号Ｖciを抽出して前記第１スイッチＳＷ１及び第２スイッチＳＷ２に供給する第４のフィルタとしてのＬＰＦ８２と、前記第２給電線４８により供給される信号から前記第１スイッチＳＷ１及び第２スイッチＳＷ２の制御端子への高周波信号の流入を遮断する第３のフィルタとしてのＬＰＦ８４と、前記アンテナエレメント５２を介して供給される信号から前記直流信号Ｖcqを抽出して前記第３スイッチＳＷ３及び第４スイッチＳＷ４に供給する第４のフィルタとしてのＬＰＦ８６と、前記アンテナエレメント５２に供給された直流信号Ｖci、Ｖcqの、前記給電線４４、４８への流入を遮断するために前記第１乃至第４スイッチＳＷ１〜ＳＷ４それぞれに対応して設けられた第５のフィルタとしてのＨＰＦ８８、９０、９２、９４とを、備えて構成されている。なお、前記ＨＰＦ８８、９０、９２、９４はスイッチデバイスの動作に必要な結合コンデンサと共有されるものであってもよく、この場合、別途ＨＰＦを設ける必要はない。
【００４８】
以上のように構成されたループアンテナユニット３６′においては、一点鎖線矢印で示すように、上記ＬＰＦ８０により前記第１給電線４４により供給される信号から前記直流信号Ｖciが抽出されて前記アンテナエレメント５２に供給され、そのアンテナエレメント５２に重畳されて伝達される。そして、そのアンテナエレメント５２から供給される前記直流信号Ｖciが上記ＬＰＦ８２を介して前記第１スイッチＳＷ１及び第２スイッチＳＷ２に供給され、その直流信号Ｖciに基づいてそれら第１スイッチＳＷ１及び第２スイッチＳＷ２の切替制御が行われる。また、二点鎖線矢印で示すように、上記ＬＰＦ８４により前記第２給電線４８により供給される信号から前記直流信号Ｖcqが抽出されて前記アンテナエレメント５２に供給され、そのアンテナエレメント５２に重畳されて伝達される。そして、そのアンテナエレメント５２から供給される前記直流信号Ｖcqが上記ＬＰＦ８６を介して前記第３スイッチＳＷ３及び第４スイッチＳＷ４に供給され、その直流信号Ｖcqに基づいてそれら第３スイッチＳＷ３及び第４スイッチＳＷ４の切替制御が行われる。また、上記ＨＰＦ８８、９０、９２、９４により、前記アンテナエレメント５２に供給された直流信号Ｖci、Ｖcqの、前記給電線４４、４８への流入が遮断（抑制）される。
【００４９】
図１１に示すループアンテナユニット７０′は、図６を用いて前述したループアンテナユニット７０の変形例であり、上述の実施例と同様に前記アンテナエレメント５２に直流信号を重畳させて給電点相互間の制御線を省いた構成である。また、図１２に示すループアンテナユニット７２′は、図８を用いて前述したループアンテナユニット７２の変形例であり、上述の実施例と同様に前記アンテナエレメント５２に直流信号を重畳させて給電点相互間の制御線を省いた構成である。また、図１３に示すループアンテナユニット７４′は、図９を用いて前述したループアンテナユニット７４の変形例であり、上述の実施例と同様に前記アンテナエレメント５２に直流信号を重畳させて給電点相互間の制御線を省いた構成である。
【００５０】
このように、本実施例のループアンテナユニット３６′、７０′、７２′、７４′によれば、前記給電線４４、４８により供給される信号から前記第１乃至第４スイッチＳＷ１〜ＳＷ４への高周波信号の流入を遮断するための第３のフィルタとしてのＬＰＦ８０、８４と、前記アンテナエレメント５２を介して供給される信号から前記第１乃至第４スイッチＳＷ１〜ＳＷ４の切替制御を行うための直流信号Ｖci、Ｖcqを抽出してそれら第１乃至第４スイッチＳＷ１〜ＳＷ４に供給する第４のフィルタとしてのＬＰＦ８２、８６と、前記アンテナエレメント５２に供給された直流信号Ｖci、Ｖcqの、前記給電線４４、４８への流入を遮断するための第５のフィルタとしてのＨＰＦ８８、９０、９２、９４とを、備えたものであるため、２つ以上の回路切替部を備えた構成において、それら回路切替部相互間に制御線を設ける必要がなく、装置の構成を可及的に簡単なものとすることができる。
【００５１】
以上、本発明の好適な実施例を図面に基づいて詳細に説明したが、本発明はこれに限定されるものではなく、更に別の態様においても実施される。
【００５２】
例えば、前述の実施例では、前記無線タグ１４との間で情報の通信を行う無線タグ通信装置１２における送受信アンテナに本発明のループアンテナユニット３６等が適用された例について説明したが、本発明はこれに限定されるものではなく、例えば斯かる無線タグ通信装置１２の送信アンテナのみ、或いは受信アンテナのみに本発明が適用されるものであってもよい。また、本発明のループアンテナユニットは、ＲＦＩＤシステムではない他の通信装置にも好適に適用されるものである。
【００５３】
また、前記ＨＰＦ８８、９２、９４はスイッチデバイスの動作に必要な結合コンデンサと共有されるものであってもよく、そのような場合においては別途ＨＰＦを設ける必要はない。
【００５４】
また、前述の実施例において、前記ループアンテナユニット３６等は、矩形状のアンテナエレメント５２を備えたものであったが、例えば長方形、円形乃至楕円形のアンテナエレメントを備えたものであってもよく、ループアンテナの態様としては設計に応じて種々の形態が適宜選択される。
【００５５】
その他、一々例示はしないが、本発明はその趣旨を逸脱しない範囲内において種々の変更が加えられて実施されるものである。
【符号の説明】
【００５６】
１２：無線タグ通信装置（通信装置）
３６、３６′、７０、７０′、７２、７２′、７４、７４′：ループアンテナユニット
４４：第１給電線
４８：第２給電線
５２：アンテナエレメント
５４：第１給電点
５６：第２給電点
６２、６４：ＨＰＦ（第１のフィルタ）
６６、６８：ＬＰＦ（第２のフィルタ）
８０、８４：ＬＰＦ（第３のフィルタ）
８２、８６：ＬＰＦ（第４のフィルタ）
８８、９０、９２、９４：ＨＰＦ（第５のフィルタ）
ＳＷ１〜ＳＷ４：第１乃至第４スイッチ（回路切替部）
【図１】
2010233077.tif 000003
【図２】
2010233077.tif 000004
【図３】
2010233077.tif 000005
【図４】
2010233077.tif 000006
【図５】
2010233077.tif 000007
【図６】
2010233077.tif 000008
【図７】
2010233077.tif 000009
【図８】
2010233077.tif 000010
【図９】
2010233077.tif 000011
【図１０】
2010233077.tif 000012
【図１１】
2010233077.tif 000013
【図１２】
2010233077.tif 000014
【図１３】
2010233077.tif 000015